(57)【要約】【課題】膜状振動体の振動により送風動作を行う薄型送風ファン（5）において、空気とともに吸い込まれる塵埃が、吸気面に堆積するのを抑えて、塵埃による送風量の低下を抑制する。【解決手段】薄型送風ファン（5）の吸気面に付着した塵埃を取り除く清掃棒（34）と、該清掃棒（34）を上記吸気面に沿うように移動させる第１駆動部（37a）とを設ける。【選択図】図２
2009121334.tif 000002
【特許請求の範囲】
【請求項１】
片面に膜状振動体（19）を有する中空板状のファン本体（10）を備え、
上記膜状振動体（19）の振動によって、吸気通路（16）からファン本体（10）内の空気室（14）に空気を取り込み、排気通路（15）から上記空気室（14）外に空気を排出する送風ファンであって、
上記ファン本体（10）の第１面は上記吸気通路（16）の開口部が形成された吸気面を構成し、第２面は上記排気通路（15）の開口部が形成された排気面を構成する一方、
上記吸気面に付着した塵埃を取り除く除塵体（34）と、該除塵体（34）を上記吸気面に沿うように移動させる駆動機構（37a）とを備えていることを特徴とする送風ファン。
【請求項２】
請求項１において、
上記除塵体（34）の表面に静電気を誘起させる静電気発生部（35）を備えていることを特徴とする送風ファン。
【請求項３】
請求項２おいて、
上記除塵体（34）を上記静電気発生部（35）に接続する第１状態と、上記除塵体（34）を接地する第２状態とに切換可能な切換手段（32）を備えていることを特徴とする送風ファン。
【請求項４】
請求項２又は３において、
上記除塵体（34）の上流側で空気中の塵埃を帯電させる帯電手段（6）を備えていることを特徴とする送風ファン。
【請求項５】
請求項１から４の何れか一つにおいて、
上記除塵体（34）の表面には、塵埃を掻き取る掻取部材（41）が設けられていることを特徴とする送風ファン。
【請求項６】
請求項１から５の何れか一つにおいて、
上記吸気面の表面上にある第１位置と上記吸気面の表面上から外れた第２位置とがあり、上記除塵体（34）を第２位置で収容する収容部（36）と、上記除塵体（34）を第１位置と第２位置との間で往復移動させる移動手段（37b）と、上記除塵体（34）の表面に付着した塵埃を取り除く清掃手段（39）と、該収容部（36）内に設けられて該清掃手段（39）で取り除かれた塵埃を捕集する捕集部材（42）とを備えていること特徴とする送風ファン。
【請求項７】
請求項１から６の何れか一つにおいて、
上記吸気通路（16）及び上記排気通路（15）の少なくとも吸気通路（16）側の壁面には、該壁面が帯電することを防止するための帯電防止コーティング（55）が施されていることを特徴とする送風ファン。
【請求項８】
請求項１から７の何れか一つにおいて、
複数の上記ファン本体（10）が、該ファン本体（10）の送風方向に対して直交する方向へ並列に並べられていることを特徴とする送風ファン。
【請求項９】
請求項１から８の何れか一つに記載の送風ファンと、該送風ファンから排出された空気を冷媒と熱交換させる熱交換器（2）と、上記送風ファンと上記熱交換器（2）とを一体に保持する固定部材（3）とを備えていることを特徴とする熱交換ユニット。
【発明の詳細な説明】
【技術分野】
【０００１】
本発明は、膜状振動体の振動により送風動作を行う薄型送風ファン及びそれを備えた熱交換ユニットに関するものである。
【背景技術】
【０００２】
従来より、ダイアフラム（膜状振動体）を用いた流体機械の一例として、液体を搬送する小型ポンプが知られている。例えば、特許文献１の小型ポンプは、ベースの両面に圧電素子を備える２枚のダイアフラムが配置されている。又、上記小型ポンプには、ベースの内部であって２枚のダイアフラム間にポンプ室が形成され、該ベースの側面に吸入口（吸気通路）と排出口（排気通路）とが設けられている。そして、電圧印加時の２枚のダイアフラムの作動方向を相互に逆となるように駆動することにより、ポンプ室の容積が変化するように構成されている。この構成により、ポンプ室の容積が大きくなった時に、上記吸入口からポンプ室へ液体が吸い込まれ、ポンプ室の容積が小さくなった時に、該ポンプ室から上記排出口へ液体が排出される。
【特許文献１】特開平１１−３１１１８４号公報
【発明の開示】
【発明が解決しようとする課題】
【０００３】
ところで、空気を搬送する送風ファンに、圧電素子で駆動する膜状振動体を適用することが可能である。この場合、上記送風ファンは、中空板状に形成され、その中空部には空気室が形成されるとともに、中空板の前面又は背面に膜状振動体が配置される。又、上記送風ファンの前面には、該空気室に連通する排気通路の開口部を有する排気面が形成され、該ファン本体の背面には、該空気室に連通する吸気通路の開口部が設けられた吸気面が形成される。この構成において、膜状振動体を振動させることにより、吸気通路から空気室に空気を取り込み、排気通路から上記空気室外に空気を排出することができる。
【０００４】
しかしながら、送風ファンに圧電素子で駆動する膜状振動体を適用する場合において、送風ファンに吸い込まれようとする空気に塵埃が含まれていると、該塵埃が上記吸気面に付着して堆積する可能性がある。そして、仮に、塵埃が吸気面に堆積した場合、この吸気面に形成された吸気通路の開口部が閉塞し、上記送風ファンの送風量の低下を引き起こすことが考えられる。
【０００５】
本発明は、かかる点に鑑みてなされたものであり、その目的は、膜状振動体の振動により送風動作を行う薄型送風ファンにおいて、空気とともに吸い込まれる塵埃が、吸気面に堆積するのを抑えて、塵埃による送風量の低下を抑制することにある。
【課題を解決するための手段】
【０００６】
第１の発明は、片面に膜状振動体（19）を有する中空板状のファン本体（10）を備え、上記膜状振動体（19）の振動によって、吸気通路（16）からファン本体（10）内の空気室（14）に空気を取り込み、排気通路（15）から上記空気室（14）外に空気を排出する送風ファンを前提としている。
【０００７】
そして、上記送風ファンにおけるファン本体（10）の第１面は上記吸気通路（16）の開口部が形成された吸気面を構成し、第２面は上記排気通路（15）の開口部が形成された排気面を構成する一方、上記吸気面に付着した塵埃を取り除く除塵体（34）と、該除塵体（34）を上記吸気面に沿うように移動させる駆動機構（37a）とを備えていることを特徴としている。
【０００８】
第１の発明では、ファン本体（10）に吸い込まれようとする空気中に塵埃が含まれていて、該塵埃が吸気面に付着した場合であっても、上記駆動機構（37a）によって除塵体（34）を上記吸気面に沿うように移動させることにより、吸気面に付着した塵埃を取り除くことができる。
【０００９】
第２の発明は、第１の発明において、上記除塵体（34）の表面に静電気を誘起させる静電気発生部（35）を備えていることを特徴としている。
【００１０】
第２の発明では、上記静電気発生部（35）により、上記除塵体（34）の表面に静電気を誘起させることができる。これにより、何らかの影響で弱帯電した空気中の塵埃が吸気面に付着した場合において、静電気を誘起させた除塵体（34）を吸着面に沿うように移動させることにより、該除塵体（34）と上記塵埃との間にクーロン力を発生させることができる。
【００１１】
又、帯電していない空気中の塵埃が吸気面に付着した場合でも、静電気を誘起させた除塵体（34）を吸着面に沿うように移動させることにより、該除塵体（34）と帯電していない塵埃との間に電気影像力を発生させることができる。そして、このクーロン力及び電気影像力によって、上記除塵体（34）の表面に、上記吸気面に付着した塵埃を吸着させることができる。
【００１２】
第３の発明は、第２の発明おいて、上記除塵体（34）を上記静電気発生部（35）に接続する第１状態と、上記除塵体（34）を接地する第２状態とに切換可能な切換手段（32）を備えていることを特徴としている。
【００１３】
第３の発明では、上記切換手段（32）により、上記除塵体（34）の表面に静電気が誘起している第１状態と、誘起していない第２状態とに適宜に切り換えることができる。したがって、上記除塵体（34）に塵埃を付着させる場合には第１状態にし、上記除塵体（34）に付着した塵埃を取り除く場合には第２状態にすることが可能である。
【００１４】
第４の発明は、第２又は第３の発明において、上記除塵体（34）の上流側で空気中の塵埃を帯電させる帯電手段（6）を備えていることを特徴としている。
【００１５】
第４の発明では、上記帯電手段（6）により、上記送風ファンに吸い込まれようとする空気に含まれている塵埃を積極的に帯電させることができる。ここで、塵埃を帯電させる場合には、上記除塵体（34）とは逆の極性に帯電させる。これにより、塵埃を積極的に帯電させない場合に比べて、静電気が誘起した除塵体（34）と上記吸気面に付着した塵埃との間に生じるクーロン力を強くすることができる。
【００１６】
第５の発明は、第１から第４の何れか一つの発明において、上記除塵体（34）の表面には、塵埃を掻き取る掻取部材（41）が設けられていることを特徴としている。
【００１７】
第５の発明では、上記除塵体（34）の表面に上記掻取部材（41）を設けることにより、静電気を誘起させた除塵体（34）を吸着面に沿うように移動させた場合に、該除塵体（34）では吸着しにくい大きな塵埃を該掻取部材（41）に当接させて、吸気面から取り除くことができる。
【００１８】
第６の発明は、第１から第５の何れか一つの発明において、上記吸気面の表面上にある第１位置と上記吸気面の表面上から外れた第２位置とがあり、上記除塵体（34）を第２位置で収容する収容部（36）と、上記除塵体（34）を第１位置と第２位置との間で往復移動させる移動手段（37b）と、上記除塵体（34）の表面に付着した塵埃を取り除く清掃手段（39）と、該収容部（36）内に設けられて該清掃手段（39）で取り除かれた塵埃を捕集する捕集部材（42）とを備えていることを特徴としている。
【００１９】
第６の発明では、上記清掃手段（39）により、上記除塵体（34）の表面に付着した塵埃を取り除くことができる。又、取り除いた塵埃を上記捕集部材（42）に捕集することができる。
【００２０】
第７の発明は、第１から第６の何れか一つの発明において、上記吸気通路（16）及び上記排気通路（15）の少なくとも吸気通路（16）側の壁面には、該壁面が帯電することを防止するための帯電防止コーティング（55）が施されていることを特徴としている。
【００２１】
第７の発明では、上記帯電防止コーティング（55）により、上記壁面が帯電するのを抑制できる。これにより、何らかの影響で帯電した空気中の塵埃と上記壁面との間にクーロン力が生じにくくなり、該塵埃が上記壁面に付着しにくくできる。
【００２２】
第８の発明は、第１から第７の何れか一つの発明において、複数の上記ファン本体（10）が、該ファン本体（10）の送風方向に対して直交する方向へ並列に並べられていることを特徴としている。
【００２３】
第８の発明では、複数のファン本体（10）を送風方向に対して直交する方向へ並列に並べて構成された送風ファンにおいても、上記駆動機構（37a）によって除塵体（34）を上記吸気面に沿うように移動させることにより、吸気面に付着した塵埃を取り除くことができる。
【００２４】
第９の発明は、第１から第８の何れか一つの発明に記載の送風ファンと、該送風ファンから排出された空気を冷媒と熱交換させる熱交換器（2）と、上記送風ファンと上記熱交換器（2）とを一体に保持する固定部材（3）とを備えていることを特徴とする熱交換ユニット。
【００２５】
第９の発明では、上記送風ファンの吸気面に付着した塵埃を取り除くことが可能な熱交換ユニットを構成することができる。
【発明の効果】
【００２６】
本発明によれば、空気中に含まれている塵埃が吸気面に付着した場合において、上記駆動機構（37a）によって除塵体（34）を上記吸気面に沿うように移動させることにより、吸気面に付着した塵埃を取り除くことができる。これにより、塵埃が上記ファン本体（10）の吸気面に堆積するのを抑えることができ、該塵埃に起因する上記送風ファンの送風量の低下を抑制することができる。
【００２７】
第２の発明によれば、上記静電気発生部（35）により、上記除塵体（34）の表面に静電気を誘起させることができる。そして、表面に静電気が誘起した除塵体（34）を上記吸気面に沿うように移動させることにより、該除塵体（34）と上記塵埃との間にクーロン力を発生させることができる。この発生したクーロン力により、吸気面に付着した塵埃を除塵体（34）に吸着させて、該吸気面から塵埃を取り除くことができる。これにより、塵埃が吸気面に堆積するのを抑えることができ、塵埃による送風量の低下を抑制することができる。
【００２８】
第３の発明によれば、上記除塵体（34）に吸着した塵埃を取り除く場合には、上記切換手段（32）により、上記除塵体（34）の表面に静電気が誘起していない状態にすることができる。したがって、上記除塵体（34）と塵埃とがクーロン力で引き付けあっていないので、上記除塵体（34）の塵埃を簡単に取り除くことができる。
【００２９】
第４の発明によれば、上記帯電手段（6）により、表面に静電気が誘起した除塵体（34）と上記塵埃との間に生じるクーロン力を強くすることができる。これにより、塵埃に対する上記除塵体（34）の吸着能力が向上するので、吸気面に付着した塵埃を確実に取り除くことができる。
【００３０】
第５の発明によれば、上記除塵体（34）の表面に上記掻取部材（41）を設けることにより、静電気を誘起させた除塵体（34）を吸着面に沿うように移動させた場合に、該除塵体（34）では吸着しにくい大きな塵埃を、吸気面から取り除くことができる。これにより、上記除塵体（34）の塵埃に対する除塵能力が向上するので、吸気面に付着した塵埃をさらに確実に取り除くことができる。
【００３１】
第６の発明によれば、上記清掃手段（39）により、上記除塵体（34）の表面に付着した塵埃を取り除ことができる。又、取り除いた塵埃を上記捕集部材（42）に捕集することができる。したがって、上記除塵体（34）に付着する塵埃の量が多くなり、該除塵体（34）の除塵能力が低下した場合であっても、上記清掃手段（39）により、その低下した除塵能力を回復することができる。
【００３２】
したがって、上記除塵体（34）の除塵能力を初期の状態に維持することができ、吸気面に付着した塵埃を長期的に効率よく取り除くことができる。又、取り除いた塵埃は上記捕集部材（42）に捕集されるので、手間をかけることなく、塵埃を捨てることができる。
【００３３】
第７の発明によれば、上記吸気通路（16）及び上記排気通路（15）の少なくとも吸気通路（16）側の壁面に帯電防止コーティング（55）を施すことにより、何らかの影響で帯電した空気中の塵埃が、クーロン力により壁面に引き寄せられて付着するのを抑制することができる。これにより、吸着面における塵埃の付着面積を減らすことができ、吸気面に付着した塵埃を効率良く取り除くことができる。
【００３４】
第８の発明によれば、複数のファン本体（10）を送風方向に対して直交する方向へ並列に並べて構成された送風ファンにおいても、上記駆動機構（37a）によって除塵体（34）を上記吸気面に沿うように移動させることにより、吸気面に付着した塵埃を取り除くことができる。これにより、塵埃が上記ファン本体（10）の吸気面に堆積するのを抑えることができ、該塵埃に起因する上記送風ファンの送風量の低下を抑制することができる。
【００３５】
第９の発明によれば、上記送風ファンの吸気面に付着した塵埃を取り除くことが可能な熱交換ユニットを構成することができる。したがって、該塵埃に起因する上記送風ファンの送風量の低下を抑制することが可能な熱交換ユニットを提供することができる。
【発明を実施するための最良の形態】
【００３６】
以下、本発明の実施形態を図面に基づいて詳細に説明する。
【００３７】
図１は、本発明の実施形態に係る熱交換ユニットの概略図である。この熱交換ユニット（1）は、空気と冷媒とを熱交換させるものであり、冷媒と熱交換させるための空気を送風する薄型送風ファン（送風ファン）（5）と、冷媒を流通させる熱交換器（2）とを備えている。
【００３８】
図１に示すように、上記薄型送風ファン（5）の排気側に熱交換器（2）が配置されるとともに、該薄型送風ファン（5）と熱交換器（2）とは固定部材（3）により、一体に保持されている。
【００３９】
〈薄型送風ファン〉
図２は薄型送風ファン（5）の正面図、図３は側面図である。図２に示すように、上記薄型送風ファン（5）は、複数のファン本体（10）と支持部材（21）と清掃装置（30）とを備えている。
【００４０】
−ファン本体−
図４（ａ）はファン本体（10）の正面図、図４（ｂ）は背面図、図５は横断面図である。図４及び図５に示すように、上記ファン本体（10）は、厚みが１〜５ｍｍ程度で、例えば一辺が３ｃｍの正方形の中空板状に形成され、前面を構成する前面部（11）と、背面を構成する背面部（12）と、側面を構成する側面部（13）とを備えている。
【００４１】
上記前面部（11）と背面部（12）とは、共に厚みが薄い矩形状の平板である。側面部（13）は、外形が矩形状の枠部材である。前面部（11）と背面部（12）とは、所定の間隔を空けて、側面部（13）に連結されている。尚、前面部（11）は、外周が全周囲に亘って側面部（13）の一端側の内周に連結され、背面部（12）は、外周が全周囲に亘って側面部（13）の他端側の内周に連結されている。
【００４２】
上記前面部（11）は、薄膜（18）で形成されており、該薄膜（18）の中心部には、空気室（14）の空気をファン本体（10）の外部へ排出するための排気孔（15）が複数設けられている。尚、この複数の排気孔（15）が、排気通路（15）を構成している。
【００４３】
一方、上記背面部（12）は、中心に円形状の開口部が形成された基板（20）と該基板（20）の開口部に取り付けられて支持された円形状の薄膜振動体（膜状振動体）（19）とを備えている。又、上記基板（20）には、ファン本体（10）の外部から空気室（14）へ空気を取り込むための吸気孔（16）が、該基板（20）を貫通して複数設けられている。尚、この複数の吸気孔（16）が、吸気通路（16）を構成している。
【００４４】
又、上記基板（20）の外面であって、上記複数の吸気孔（16）が設けられた部分と該基板（20）の開口辺との間には、円環状に形成された圧電素子（17）が取り付けられている。この圧電素子（17）は、例えば２枚の圧電部材を積層することによって構成されている。この圧電部材には、例えば圧電セラミックスが用いられている。圧電部材は、 電気エネルギーと機械エネルギーを変換する働きをもった部材である。なお、圧電素子（17）の構成は、この構成に限定されるものではない。
【００４５】
上述したように、上記薄膜振動体（19）は、上記基板（20）の開口部に取り付けられており、上記圧電素子（17）の振動により該基板（20）を介して振動する。つまり、図５において、圧電素子（17）の外面が縮んで内面が伸びるように圧電素子（17）に電圧を印加すると、図６に示すように基板（20）が前面側に凸状に湾曲する。また、圧電素子（17）の外面が伸びて内面が縮むように圧電素子（17）に電圧を印加すると、図７に示すように、基板（20）が背面側に凸状に湾曲する。そして、このような基板（20）の湾曲により、上記薄膜振動体（19）がファン本体（10）の厚さ方向に振動する。
【００４６】
−支持部材−
上記支持部材（21）は、複数のファン本体（10）を、該ファン本体（10）の送風方向に対して直交する方向へ縦横に並べて固定するためのものである。具体的に、上記支持部材（21）は、図２に示すように、外周が矩形状に形成されるとともに、該支持部材（21）には複数の枠状部（22）が形成されている。そして、各枠状部（22）は、支持部材（21）の長手方向及び短手方向に対して格子状に配列されている。又、各枠状部（22）の内側開口部（23）の形状は、平面視でファン本体（10）と同一形状であり、この内側開口部（23）にファン本体（10）が嵌め込まれ固定されている。
【００４７】
−清掃装置−
上記清掃装置（30）は、図２又は図３に示すように、薄型送風ファン（5）の吸気面側に配置されており、該吸気面を清掃するための清掃棒（除塵体）（34）を備えている。この清掃棒（34）は細長い円柱状に形成され、その長さは支持部材（21）の幅よりも長くなっている。そして、この清掃棒（34）をスライド自在に保持する一対のガイドレール（38）が設けられている。
【００４８】
上記一対のガイドレール（38）は、直線状に形成されるとともに、上記支持部材（21）の両側に位置し、該支持部材（21）との間に所定の間隔を空けて、該支持部材（21）と平行に配置されている。又、上記ガイドレール（38）の上端は支持部材（21）の上端に固定され、該ガイドレール（38）の下端は、支持部材（21）の下端側よりも下方に位置している。ここで、上記清掃棒（34）は、この一対のガイドレール（38）に跨って配置されている。そして、上記清掃棒（34）をガイドレール（38）の上下端間をレール方向に沿って往復スライド移動させる第１駆動部（駆動機構）（37a）が設けられている。
【００４９】
又、上記清掃装置（30）には、上記清掃棒（34）に電気的に接続された静電気発生部（35）が設けられている。上記静電気発生部（35）は、薄型送風ファン（5）に供給される電力を電源として静電気を発生し、発生した静電気は清掃棒（34）の表面に誘起される。そして、上記静電気発生部（35）と清掃棒（34）との間にはスイッチ（切換手段）（32）が設けられている。このスイッチ（32）は、図２に示すように、清掃棒（34）に接続された端子がＡ側の端子に接触するようにスイッチ（32）を切り換えると、上記静電気発生部（35）と清掃棒（34）とが通電して該清掃棒（34）の表面に静電気が誘起される。一方、清掃棒（34）に接続された端子がＢ側の端子に接触するようにスイッチ（32）を切り換えると、上記清掃棒（34）が接地して、該清掃棒（34）の表面に静電気が誘起されなくなる。
【００５０】
又、上記清掃装置（30）は、上記清掃棒（34）に付着した塵埃を取り除くブラシ（清掃手段）（39）を備えている。このブラシ（39）は円環状に形成され、円環の内側に清掃棒（34）が挿入されている。尚、上記ブラシ（39）は、該ブラシ（39）の内周面と清掃棒（34）の外周面とは当接している。そして、上記ブラシ（39）を清掃棒（34）の両端間を長さ方向に沿って往復スライドさせる第２駆動部（移動手段）（37b）が設けられている。
【００５１】
又、上記清掃装置（30）には、上記第１駆動部（37a）によりガイドレール（37）の下端まで移動した清掃棒（34）を収容する収納庫（36）が設けられている。この収納庫（36）は上部が開口した箱状に形成され、該収納庫（36）は上記支持部材（21）の下端に取り付けられている。そして、上記収納庫（36）の底部には、塵埃捕集受け（42）が設けられている。この塵埃捕集受け（42）は、上記第２駆動部（37b）によりブラシ（39）がスライドした際に、該ブラシ（39）により取り除かれた塵埃を捕集するためのものである。
【００５２】
−運転動作−
まず、上記薄型送風ファン（5）の送風動作について説明したあと、清掃装置（30）の清掃動作について説明する。
【００５３】
上記薄型送風ファン（5）の送風動作は、図６に示す第１動作と図７に示す第２動作とで構成されている。尚、図６と図７とは第１動作と第２動作とを誇張して表している。上記第１動作において、上記圧電素子（17）が空気室（14）の内方に向かって凸状に湾曲する。すると、同じように、上記背面部（12）の基板（21a）も空気室（14）の内方に向かって凸状に湾曲し、この基板（21a）の湾曲により薄膜振動体（19）が空気室（14）の外方に振れる。
【００５４】
第２動作において、上記圧電素子（17）が空気室（14）の外方に向かって凸状に湾曲する。すると、同じように、上記背面部（12）の基板（21a）も空気室（14）の外方に向かって凸状に湾曲し、この基板（21a）の湾曲により薄膜振動体（19）が空気室（14）の内方に振れる。
【００５５】
この薄型送風ファン（5）では、第１動作によって、空気室（14）の容積が拡大する際に、複数の吸気孔（16）からファン本体（10）の外部の空気が、空気室（14）に取り込まれる。一方、第２動作によって、空気室（14）の容積が縮小する際に、複数の排気孔（15）から空気室（14）内の空気が、ファン本体（10）の外部へ押し出される。上記薄型送風ファン（5）において、この第１動作と第２動作との繰り返しによって、複数の吸気孔（16）を通じて取り込まれた空気が、複数の排気孔（15）を通じてファン本体（10）の外部へ吹き出される。
【００５６】
次に、上記清掃装置（30）の清掃動作について説明する。上記清掃動作は、上記ファン本体（10）の吸気面に付着した塵埃を除去するための除塵動作と、上記清掃棒（34）に吸着した塵埃を除去するための集塵動作とで構成されている。ここで、上記集塵動作は、上記清掃棒（34）が上記収納庫（36）に収納されているときに行われる。
【００５７】
尚、上記除塵動作を行う場合には、上記スイッチ（32）が切り換えられ、清掃棒（34）に接続された端子がＡ側の端子に接触すると、該清掃棒（34）の表面に静電気が誘起する。一方、上記集塵動作を行う場合には、上記スイッチ（32）が切り換えられ、清掃棒（34）に接続された端子がＢ側の端子に接触すると、該清掃棒（34）の表面には、静電気が誘起しなくなる。
【００５８】
上記除塵動作は、第１駆動部（37a）により、静電気が誘起された状態の清掃棒（34）を、ガイドレール（37）のレール方向に沿って図２の下側から上側、上側から下側へ往復スライドさせることにより行われる。
【００５９】
具体的に、上記清掃棒（34）がスライドしながら吸気面に近づくと、図８（a）に示すように、吸気面に付着した塵埃が、清掃棒（34）に誘起された静電気の影響により、清掃棒（34）に引き寄せられて該清掃棒（34）の表面に吸着する。この結果、吸気面に付着した塵埃が除去される。そして、図８（b）に示すように、清掃棒（34）が、さらにスライドしながら、上側の吸気面に付着した塵埃を吸着していく。このように、上記除塵動作が行われることにより、複数のファン本体（10）の吸気面全体に付着した塵埃が除去される。
【００６０】
一方、上記集塵動作は、静電気が誘起されていない状態の清掃棒（34）に対して、上記ブラシ（39）を該清掃棒（34）の両端間を長さ方向に沿って図２の左側から右側、右側から左側へ往復スライドさせることにより行われる。
【００６１】
具体的に、上記ブラシ（39）がスライドすると、該ブラシ（39）の内周面が、上記清掃棒（34）の表面に当接しながら、上記清掃棒（34）の表面にある塵埃を掻き落とす。この結果、掻き落とされた塵埃は、上記収納庫（36）の底部に設置された塵埃捕集受け（42）に落ちて捕集される。
【００６２】
−実施形態の効果−
本実施形態によれば、空気中に含まれている塵埃が吸気面に付着した場合において、上記第１駆動部（37a）によって清掃棒（34）を上記吸気面に沿うように移動させることにより、吸気面に付着した塵埃を取り除くことができる。これにより、塵埃が上記薄型送風ファン（5）の吸気面に堆積するのを抑えることができ、該塵埃に起因する上記薄型送風ファン（5）の送風量の低下を抑制することができる。したがって、該塵埃に起因する上記薄型送風ファン（5）の送風量の低下を抑制することが可能な熱交換ユニット（1）を提供することができる。
【００６３】
又、本実施形態によれば、上記静電気発生部（35）により、上記清掃棒（34）の表面に静電気を誘起させることができる。そして、表面に静電気が誘起した清掃棒（34）を上記吸気面に沿うように移動させることにより、該清掃棒（34）と上記塵埃との間にクーロン力を発生させることができる。この発生したクーロン力により、吸気面に付着した塵埃を清掃棒（34）に吸着させて、該吸気面から塵埃を取り除くことができる。
【００６４】
又、本実施形態によれば、上記ブラシ（39）により、上記清掃棒（34）の表面に付着した塵埃を取り除ことができる。又、取り除いた塵埃を上記塵埃捕集受け（42）に捕集することができる。したがって、上記清掃棒（34）に付着する塵埃の量が多くなり、該清掃棒（34）の除塵能力が低下した場合であっても、上記ブラシ（39）で塵埃を取り除くことにより、低下した除塵能力を回復することができる。
【００６５】
又、本実施形態によれば、上記ブラシ（39）で上記清掃棒（34）に吸着した塵埃を取り除く場合には、上記スイッチ（32）を切り換えて、上記清掃棒（34）の表面に静電気が誘起していない状態にすることができる。したがって、静電気が誘起している状態に比べて、上記清掃棒（34）に吸着した塵埃を容易に取り除くことができる。
【００６６】
このことから、上記清掃棒（34）の除塵能力を初期の状態に維持することができ、吸気面に付着した塵埃を長期的に効率よく取り除くことができる。又、取り除いた塵埃は上記収納庫（36）の底部に設けられた塵埃捕集受け（42）に捕集されるので、手間をかけることなく、塵埃を捨てることができる。
【００６７】
−実施形態の変形例１−
図９は実施形態の変形例１に係る熱交換ユニット（50）の概略図である。上述した実施形態との違いは、帯電部（帯電手段）（6）が設けられている点である。以下では、実施形態と同じ部分については同じ符号を付し、相違点についてのみ説明する。
【００６８】
図９に示すように、上記薄型送風ファン（5）の吸気面側に上記帯電部（6）が設けられている。この上記帯電部（6）により、上記薄型送風ファン（5）に吸い込まれようとする空気に含まれている塵埃を積極的に帯電することができる。ここで、塵埃を帯電させる場合には、上記除塵体（34）とは逆の極性に帯電させる。
【００６９】
これにより、塵埃を積極的に帯電させない場合に比べて、静電気が誘起した清掃棒（34）と上記吸気面に付着した塵埃との間に生じるクーロン力を強くすることができる。クーロン力が強くなると、塵埃に対する上記除塵体（34）の吸着能力が向上する。したがって、吸気面に付着した塵埃を確実に取り除くことができる。
【００７０】
−実施形態の変形例２−
図１０は実施形態の変形例２に係る薄型送風ファン（60）の概略図である。上述した実施形態との違いは、清掃棒（34）の構成が異なる点である。以下では、実施形態と同じ部分については同じ符号を付し、相違点についてのみ説明する。
【００７１】
図１０に示すように、上記清掃棒（34）の表面には、植毛ブラシ（掻取部材）（41）が設けられている。これにより、静電気を誘起させた清掃棒（34）を吸着面に沿うように移動させた場合に、該清掃棒（34）では吸着しにくい大きな塵埃を植毛ブラシ（41）に当接させて、吸気面から取り除くことができる。これにより、上記清掃棒（34）の除塵能力がさらに向上する。したがって、吸気面に付着した塵埃をより確実に取り除くことができる。
【００７２】
《その他の実施形態》
上記実施形態において、複数の吸気孔（16）の壁面に、壁面が帯電することを防止するための帯電防止コーティング（55）を施してもよい（図５の仮想線参照）。又、さらに好ましい形態として、吸気面全体に帯電防止コーティング（55）を施してもよい。尚、帯電防止コーティング（55）には、シリコン樹脂を用いることができる。
この場合、何らかの影響で帯電した空気中の塵埃が、複数の吸気孔（16）の壁面に付着しにくくなる。これにより、吸着面における塵埃の付着面積を減らすことができ、吸気面に付着した塵埃を取り除き易くなる。
【００７３】
又、本実施形態では、上記収納庫（36）の底部には、塵埃捕集受け（42）が設けられているが、これに限定されず、上記収納庫（36）が塵埃捕集受け（42）を兼ねてもよい。
【００７４】
又、本実施形態の変形例２では、静電気が誘起可能な清掃棒（34）の表面に植毛ブラシ（41）を取り付けたが、これに限定される必要はなく、静電気が誘起可能な清掃棒（34）を、静電気が誘起可能な第１清掃棒と、静電気が誘起せずに表面に植毛ブラシを有する第２清掃棒とに分けてもよい。又、上記第１清掃棒を設けずに上記第２清掃棒のみでもよい。
【００７５】
なお、以上の実施形態は、本質的に好ましい例示であって、本発明、その適用物、あるいはその用途の範囲を制限することを意図するものではない。
【産業上の利用可能性】
【００７６】
以上説明したように、本発明は、膜状振動体の振動により送風動作を行う薄型送風ファン及びそれを備えた熱交換ユニットについて有用である。
【図面の簡単な説明】
【００７７】
【図１】本発明の実施形態に係る熱交換ユニットの概略図である。
【図２】本発明の実施形態に係る薄型送風ファンの正面図である。
【図３】本発明の実施形態に係る薄型送風ファンの側面図である。
【図４】（ａ）は本発明の実施形態に係るファン本体の正面図、（ｂ）はファン本体の背面図である。
【図５】本発明の実施形態に係るファン本体の横断面図である。
【図６】本発明の実施形態に係るファン本体の第１動作を示す断面図である。
【図７】本発明の実施形態に係るファン本体の第２動作を示す断面図である。
【図８】本発明の実施形態に係る薄型送風ファンの除塵動作を示す図であり、（ａ）は塵埃が清掃棒に吸着する前の状態図であり、（ｂ）は塵埃が清掃棒に吸着した後の状態図である。
【図９】実施形態の変形例１に係る熱交換ユニットの概略図である。
【図１０】実施形態の変形例２に係る薄型送風ファンの側面図である。
【符号の説明】
【００７８】
1  熱交換ユニット
2  熱交換器
5  薄型送風ファン
6  帯電部（帯電手段）
10  ファン本体
17  圧電素子
19  薄膜振動体（膜状振動体）
32  スイッチ（切換手段）
34  清掃棒（除塵体）
30  清掃装置
35  静電気発生部
36  収納庫（収容部）
37a  第１駆動部（駆動機構）
37b  第２駆動部（移動手段）
39  ブラシ（清掃手段）
41  植毛ブラシ（掻取部材）
42  塵埃捕集受け（捕集部材）
55  帯電防止コーティング
【図１】
2009121334.tif 000003
【図２】
2009121334.tif 000004
【図３】
2009121334.tif 000005
【図４】
2009121334.tif 000006
【図５】
2009121334.tif 000007
【図６】
2009121334.tif 000008
【図７】
2009121334.tif 000009
【図８】
2009121334.tif 000010
【図９】
2009121334.tif 000011
【図１０】
2009121334.tif 000012